(57)【要約】【課題】スクリーンを視認しながら画像調整を簡単に行え画像調整作業の効率化を図る。【解決手段】調整機構６０は、ボトムキャビネット３１（フレーム３０）とプロジェクタユニット１０との間に設けられ、フレーム３０に対してプロジェクタユニット１０を鉛直軸心Ｏ１を中心として揺動調節可能かつ該プロジェクションテレビジョン装置１００の左右方向に延在する水平軸心Ｏ２を中心として揺動調節可能に支持している。調整機構６０は、操作することによりフレーム３０に対してプロジェクタユニット１０を鉛直軸心Ｏ１を中心として揺動させかつ水平軸心Ｏ２を中心として揺動させる操作部材６２を有し、操作部材６２が操作される操作箇所６２Ａは、スクリーン５０の下方のフレーム３０の前面部分３１０２に配置されている。【選択図】        図２
2006189738.tif 000002
【特許請求の範囲】
【請求項１】
フレームと、
前記フレームの前面に取付けられた背面投影型スクリーンと、
前記フレームに設けられたテレビジョン画像投影用のプロジェクタユニットと、
前記フレームに取付けられて前記背面投影型スクリーンの背後に配設され、前記プロジェクタユニットから出射されるテレビジョン画像投影光束を前記背面投影型スクリーンの背面へ反射する反射ミラーと、
を有するプロジェクションテレビジョン装置であって、
前記フレームと前記プロジェクタユニットとの間に、前記フレームに対して前記プロジェクタユニットを鉛直軸心を中心として揺動調節可能かつ該プロジェクションテレビジョン装置の左右方向に延在する水平軸心を中心として揺動調節可能に支持する調整機構が設けられ、
前記調整機構は、操作することにより前記フレームに対して前記プロジェクタユニットを前記鉛直軸心を中心として揺動させかつ前記水平軸心を中心として揺動させる操作部材を有し、
前記操作部材が操作される操作箇所は、前記投影型スクリーンの下方の前記フレームの前面部分に配置されている、
ことを特徴とするプロジェクションテレビジョン装置。
【請求項２】
前記フレームの前面の上部に枠状のスクリーン取り付け部が設けられ、前記スクリーンは前記スクリーン取り付け部に取着され、前記操作箇所は、前記スクリーン取り付け部の下方の前記フレームの前面部分に配置されていることを特徴とする請求項１記載のプロジェクションテレビジョン装置。
【請求項３】
前記スクリーン取り付け部の下方の前記フレームの前面部分に、前記操作箇所を覆うように係脱可能に化粧板が取着されていることを特徴とする請求項２記載のプロジェクションテレビジョン装置。
【請求項４】
前記フレームは、前記フレームの下部の前面を構成する前板を有し、前記プロジェクタユニットは前記前板の後方に配置され、前記調整機構は、前記前板の前方に配置され前記前板に対して前記鉛直軸心を中心として揺動可能かつ前記水平軸心を中心として揺動可能に支持され前記前板の切り欠き内において前記プロジェクタユニットに結合された調整板と、前記前板と前記調整板とにわたって設けられ回転操作することにより前記前板に対して前記調整板を前記鉛直軸心を中心として揺動させかつ前記水平軸心を中心として揺動させる雄ねじ部材とを含んで構成され、前記操作部材は前記雄ねじ部材で構成され、前記操作箇所は前記雄ねじ部材の頭部で構成されていることを特徴とする請求項１記載のプロジェクションテレビジョン装置。
【請求項５】
前記フレームは、前記フレームの前面を構成する前板と前記前板の上部で左右に延在する横部材を有し、前記プロジェクタユニットは前記前板の後方に配置され、前記調整機構は、前記前板の前方で前記横部材の下方に配置された調整板を有し、前記調整板は、前記前板と平行して左右に延在する縦板部と、前記縦板部の上部から水平方向に延在し前記横部材の下方に臨む横板部と、前記横板部から上方に突設され前記横部材の孔に結合されたピンを有し、前記鉛直軸心は前記ピンの軸心上を通り、前記水平軸心は、前記ピンが前記横部材の孔に結合された部分を通り、前記ピンは前記孔に対して前記鉛直軸心を中心として揺動可能かつ前記水平軸心を中心として揺動可能に結合されており、前記縦板部の上部は前記前板に固定され、前記縦板部の上部と前記前板とが固定された部分は、前記鉛直軸心および前記水平軸心を中心として前記ピンが揺動できるように可撓可能に形成されており、前記操作部材は、前記縦板部の下部で前記鉛直軸心の左右両側に配置された左右の雄ねじ部材で構成され、各雄ねじ部材は頭部と雄ねじ部とを有し、前記頭部は前記調整板の前方に位置し、前記雄ねじ部は前記調整板と前記前板との間にわたって設けられ、前記頭部を回転操作することでそれら雄ねじ部の長手方向に沿って調整板と前記前板との間隔が変化するように構成されていることを特徴とする請求項１記載のプロジェクションテレビジョン装置。
【請求項６】
前記左右の雄ねじ部材はそれぞれ第１雄ねじ部材と、互いに同軸上に配置される第２雄ねじ部材７２および第３雄ねじ部材の３本で構成され、前記第１雄ねじ部材と第３雄ねじ部材はそれぞれ頭部と雄ねじ部とを有し、前記第２雄ねじ部材７２は、その軸心に前記第３雄ねじ部材の雄ねじ部が挿通される挿通孔が形成された環板状の頭部と筒状の雄ねじ部とを有し、前記第１の雄ねじ部材の頭部は前記調整板の前方に位置し前記調整板に当接可能に設けられ、前記第１の雄ねじ部材の前記雄ねじ部は前記調整板の孔を挿通して前記前板の雌ねじに螺合しており、前記第２の雄ねじ部材の頭部は前記調整板の前方に位置し、前記第２の雄ねじ部材の前記雄ねじ部は前記調整板の雌ねじに螺合し該雄ねじ部の先端は前記前板に当接可能に設けられ、前記第３の雄ねじ部材の頭部は前記第２の雄ねじ部材の頭部の前方に位置し、前記第３の雄ねじ部材の前記雄ねじ部は前記第２の雄ねじ部材の挿通孔を挿通しその先端が前記前板の雌ねじに螺合していることを特徴とする請求項５記載のプロジェクションテレビジョン装置。
【請求項７】
前記プロジェクタユニットから出射されるテレビジョン画像投影光束の中心および前記鉛直軸心は、前記スクリーンの左右方向における中心を通り前記スクリーンに直交する仮想平面上に位置していることを特徴とする請求項１記載のプロジェクションテレビ装置。
【請求項８】
前記プロジェクタユニットは、光源と、前記光源から出射された光束を赤、緑、青の３色の光束に分離する光学系と、前記３色の光束を画像情報に基づいて変調するとともにこれら変調された３色の光束を合成し前記テレビジョン画像投影光束として出射する画像形成手段と、前記画像形成手段から出射された前記テレビジョン画像投影光束を前記スクリーンに投射し前記スクリーンに画像を投影するための投影レンズとを含んで構成されていることを特徴とする請求項１記載のプロジェクションテレビジョン装置。
【請求項９】
前記投影レンズの光軸および前記鉛直軸心は、前記スクリーンの左右方向における中心を通り前記スクリーンに直交する仮想平面上に位置していることを特徴とする請求項８記載のプロジェクションテレビ装置。
【発明の詳細な説明】
【技術分野】
【０００１】
本発明はプロジェクションテレビジョン装置に関する。
【背景技術】
【０００２】
フレームと、フレームに設けられテレビジョン画像投影用の光束を出射するプロジェクタユニットと、フレームに設けられ前記プロジェクタユニットから出射された光束を反射する反射ミラーと、フレームに設けられ前記反射ミラーによって反射された前記光束が背面に投射されることで前面に画像が表示される背面投影型のスクリーンとを有するプロジェクションテレビジョン装置がある。
このようなプロジェクションテレビジョン装置では、プロジェクタユニットの位置ずれによりスクリーン上に投影される画像に傾斜が生じたり上下幅に差異が生じる。
そこで、従来では、プロジェクタユニットが支持部材を介してフレームに取り付け、支持部材に設けた位置決め調整用の調整機構を調整することで、スクリーンに正しく画像が表示されるようにプロジェクタユニットの位置を調整するようにしている（特許文献１参照）。
【特許文献１】特開２００３−３３７３７９号公報
【発明の開示】
【発明が解決しようとする課題】
【０００３】
しかしながら、前記従来技術では、調整機構の操作箇所がフレームの奥部に位置し、スクリーンを視認しながら画像調整を簡単に行い難く、画像調整作業の効率化を図る上で不利があった。
本発明は、このような事情に鑑みなされたもので、その目的はスクリーンを視認しながら画像調整を簡単に行え、画像調整作業の効率化を図る上で有利なプロジェクションテレビジョン装置を提供することにある。
【課題を解決するための手段】
【０００４】
上記目的を達成するために本発明のプロジェクションテレビジョン装置は、フレームと、前記フレームの前面に取付けられた背面投影型スクリーンと、前記フレームに設けられたテレビジョン画像投影用のプロジェクタユニットと、前記フレームに取付けられて前記背面投影型スクリーンの背後に配設され、前記プロジェクタユニットから出射されるテレビジョン画像投影光束を前記背面投影型スクリーンの背面へ反射する反射ミラーとを有するプロジェクションテレビジョン装置であって、前記フレームと前記プロジェクタユニットとの間に、前記フレームに対して前記プロジェクタユニットを鉛直軸心を中心として揺動調節可能かつ該プロジェクションテレビジョン装置の左右方向に延在する水平軸心を中心として揺動調節可能に支持する調整機構が設けられ、前記調整機構は、操作することにより前記フレームに対して前記プロジェクタユニットを前記鉛直軸心を中心として揺動させかつ前記水平軸心を中心として揺動させる操作部材を有し、前記操作部材が操作される操作箇所は、前記投影型スクリーンの下方の前記フレームの前面部分に配置されていることを特徴とする。
【発明の効果】
【０００５】
本発明によれば、フレームとプロジェクタユニットとの間に、鉛直軸心および水平軸心を中心として揺動調節可能にプロジェクタユニットを支持する調整機構が設けられ、この調整機構の操作部材が操作される操作箇所は、スクリーンの下方のフレームの前面部分に配置されているので、画像調整をスクリーンを視認しつつ確実に簡単に行うことが可能となる。
また、本発明によれば、調整機構によりプロジェクタユニットが、鉛直軸心を中心として揺動調節され、また、プロジェクションテレビジョン装置の左右方向に延在する水平軸心を中心として揺動調節されるので、画像の傾斜や画像の上下幅の差異が確実に調整される。
【発明を実施するための最良の形態】
【０００６】
本発明では、フレームとプロジェクタユニットとの間に、鉛直軸心を中心として揺動調節可能かつ該プロジェクションテレビジョン装置の左右方向に延在する水平軸心を中心として揺動調節可能に支持する調整機構を設け、この調整機構の操作部材が操作される操作箇所を、スクリーンの下方のフレームの前面部分に配置することによって上記目的を実現した。
【実施例１】
【０００７】
以下、本発明によるプロジェクションテレビジョン装置の実施例を図面に基づいて詳細に説明する。
図１（Ａ）は実施例１のプロジェクションテレビジョン装置１００の正面図、（Ｂ）は側面図である。
図２はプロジェクションテレビジョン装置１００の分解斜視図である。
図３はプロジェクションテレビジョン装置１００の要部の分解斜視図である。
図４はプロジェクションテレビジョン装置１００の電装部の構成を示すブロック図である。
図５はプロジェクションテレビジョン装置１００のプロジェクタユニット１０の構成を示す構成図である。
【０００８】
まず、プロジェクションテレビジョン装置１００の構成について説明する。
図１、図２に示すように、プロジェクションテレビジョン装置１００はフレーム３０を備え、このフレーム３０にプロジェクタユニット１０と、反射ミラー４０と、背面投影型スクリーン５０とが設けられている。
プロジェクタユニット１０は、テレビジョン画像投影光束を出射するものである。
反射ミラー４０は、プロジェクタユニット１０の上方かつ背面投影型のスクリーン５０の後方に配置され、プロジェクタユニット１０から出射されたテレビジョン画像投影光束をスクリーン５０の背面に向けて反射するものである。
スクリーン５０は、反射ミラー４０によって反射されたテレビジョン画像投影光束が背面に投射されることで前面にテレビジョン画像が表示されるものである。
スクリーン５０は、例えば、映像源側に配置されるフレネルレンズと、このフレネルレンズの後段に配置されるレンチキュラースクリーンによって構成される。また、これに加えて外光によるコントラスト劣化の減少、および、レンチキュラースクリーンの保護を目的とする別のスクリーンを設置してもよい。
【０００９】
図２、図３に示すように、フレーム３０は、プロジェクタユニット１０を保持するボトムキャビネット３１と、ボトムキャビネット３１の上部に設けられた矩形枠状のスクリーン取り付け部３２と、ボトムキャビネット３１の上部でスクリーン取り付け部３２の後方に設けられた逆台形状の反射ミラー取り付け部３３などを備えている。
スクリーン５０は、上下左右の取り付け部材５００２およびねじを介してスクリーン取り付け部３２に取着され、取り付け部材５００２およびスクリーン５０の周囲の箇所を覆うように枠状の化粧板５００４がスクリーン取り付け部３２に取り付けられる。
また、スクリーン取り付け部３２の下方のフレーム３０の前面部分は、ボトムキャビネット３１の前面部分３１０２が位置しており、この前面部分３１０２を覆うように化粧板３１０４が枠状の化粧板５００４の下部に取着される。
反射ミラー４０は、上下左右の取り付け部材４００２およびねじを介して反射ミラー取り付け部３３に取着され、取り付け部材４００２および反射ミラー４０を覆うように後部上カバー４００４がフレーム３０に取着される。
プロジェクタユニット１０はボトムキャビネット３１の前面部分３１０２の後方に配置され、プロジェクタユニット１０などを覆うように後部下カバー４００６がフレーム３０に取着される。
なお、図１（Ａ）において符号１０８は左右のスピーカーである。
【００１０】
プロジェクタユニット１０は、図５に示すように、光源１２、照明光学系１４、色分離光学系１６、リレー光学系１８、３つの液晶パネル２０、クロスダイクロイックプリズム２２、投影レンズ２４を備えている。
光源１２から出射された白色光は照明光学系１４によって色分離光学系１６およびリレー光学系１８に導かれ、色分離光学系１６およびリレー光学系１８によって赤色（Ｒ）、緑色（Ｇ）、青色（Ｂ）の３色の光束に分離される。
これら３色の光束は対応する赤色（Ｒ）、緑色（Ｇ）、青色（Ｂ）の３色の画像情報をそれぞれ表示する３つの液晶パネル２０（２０Ｒ、２０Ｇ、２０Ｂ）を通過することで前記画像情報に基づいて変調された後、クロスダイクロイックプリズム２２によって１つのテレビジョン画像投影光束として合成される。
そして、このテレビジョン画像投影光束は、投影レンズ２４を介して反射ミラー４０に照射され、反射ミラー４０によってスクリーン５０の背面に投射されスクリーン５０の前面にカラー画像が投影される。
【００１１】
本実施例では、３つの液晶パネル２０およびクロスダイクロイックプリズム２２によって特許請求の範囲の画像形成手段が構成されている。また、本実施例では、照明光学系１４、色分離光学系１６、リレー光学系１８によって特許請求の範囲の光学系が構成されている。
なお、本発明のプロジェクタユニット１０は、液晶パネルを用いた画像形成手段に限定されず、従来公知の様々な方式のものが採用可能である。
なお、光源１２は光源用ハウジング１００４に収容されており、また、光学系および画像形成手段は単一のハウジング１００２に収容され、このハウジング１００２は光源用ハウジング１００４に連結されている。
照明光学系１４は、凹レンズ１４０２、ＵＶカットフィルター１４０４、第１、第２フライアイレンズ１４０６、１４０８、ＰＳ変換素子１４１０、コンデンサレンズ１４１２がこれらの順に配列されて構成され、光源１２からの光束がこれらを通過し、色分離光学系１６に入射される。説明の便宜上、ハウジング１００２内で光源１２から色分離光学系１６に至る光学系１０の光路を第１光路１０Ａという。コンデンサレンズ１４１２は、第１光路１０Ａに対して交差する方向に配置され、本実施例では９０度をなすように配置されている。
色分離光学系１６は、青色の光束を反射し緑色と赤色の光束を透過させる青色用のダイクロイックミラー１６０２と、緑色の光束を反射し赤色の光束を透過させる赤色用のダイクロイックミラー１６０４とを有している。これら２つのダイクロイックミラー１６０２、１６０４は、第１光路１０Ａに対して交差する方向に配置され、本実施例では４５度をなすように配置されている。
照明光学系１４から出射された光束のうち、青色の光束はダイクロイックミラー１６０２で反射されるとＵＶ吸収フィルタ１６０６、全反射ミラー１６０８、コンデンサレンズ１６１０を介して液晶パネル２０Ｂを透過しクロスダイクロイックプリズム２２に至る。説明の便宜上、ハウジング１００２内でダイクロイックミラー１６０２から全反射ミラー１６０８に至る光学系１０の光路を第２光路１０Ｂといい、全反射ミラー１６０８からクロスダイクロイックプリズム２２に至る光学系１０の光路を第３光路１０Ｃという。本実施例では第１光路１０Ａと第２光路１０Ｂは直交し、第２光路１０Ｂと第３光路１０Ｃも直交している。
【００１２】
青色用のダイクロイックミラー１６０２を透過した光束のうち、緑色の光束は赤色用のダイクロイックミラー１６０４によって反射されるとコンデンサレンズ１６１０を介して液晶パネル２０Ｇを透過しクロスダイクロイックプリズム２２に至る。説明の便宜上、ハウジング１００２内でダイクロイックミラー１６０２からダイクロイックミラー１６０４に至る光学系１０の光路を第４光路１０Ｄといい、ダイクロイックミラー１６０４からクロスダイクロイックプリズム２２に至る光学系１０の光路を第５光路１０Ｅという。本実施例では第１光路１０Ａと第４光路１０Ｄは同軸上に位置し、第４光路１０Ｄと第５光路１０Ｅは直交している。
青色用のダイクロイックミラー１６０２を透過した光束のうち、赤色の光束は赤色用のダイクロイックミラー１６０４を透過すると、リレー光学系１８を構成する第１リレーレンズ１８０２、全反射ミラー１８０４、第２リレーレンズ１８０６、全反射ミラー１８０８によってコンデンサレンズ１６１０を介して液晶パネル２０Ｒを透過しクロスダイクロイックプリズム２２に至る。説明の便宜上、ハウジング１００２内でダイクロイックミラー１６０４から全反射ミラー１８０４に至る光学系１０の光路を第６光路１０Ｆといい、全反射ミラー１８０４から全反射ミラー１８０８に至る光学系１０の光路を第７光路１０Ｇといい、全反射ミラー１８０８からクロスダイクロイックプリズム２２に至る光学系１０の光路を第８光路１０Ｈという。本実施例では第６光路１０Ｆと第７光路１０Ｇは直交し、第７光路１０Ｇと第８光路１０Ｈも直交している。
第２リレーレンズ１８０６は、第７光路１０Ｇに対して交差する方向に配置され、本実施例では９０度をなすように配置されている。
なお、３つの液晶パネル２０Ｂ、２０Ｇ、２０Ｒは、それぞれ光束入射側に入射側偏光板２００２が、光束出射側に出射側偏光板２００４がそれぞれ設けられている。
【００１３】
クロスダイクロイックプリズム２２は、青色の光束を反射する誘電体多層膜２２Ｂと、赤色の光束を反射する誘電体多層膜２２Ｒとが、４つの直角プリズムの界面に沿ってほぼＸ字状に形成されている。このクロスダイクロイックプリズム２２は、各液晶パネル２０Ｂ、２０Ｇ、２０Ｒの出射側にそれぞれ臨み光軸に対して直交する３つの入射面と、投影レンズ２４に臨み光軸に対して直交する１つの出射面２２０２とを有している。
青色の光束に対応する液晶パネル２０Ｂからクロスダイクロイックプリズム２２に入射された青色の光束は誘電体多層膜２２Ｂによって反射され出射面２２０２から出射され投影レンズ２４に至る。
赤色の光束に対応する液晶パネル２０Ｒからクロスダイクロイックプリズム２２に入射された赤色の光束は誘電体多層膜２２Ｒによって反射され出射面２２０２から出射され投影レンズ２４に至る。
緑色の光束に対応する液晶パネル２０Ｇからクロスダイクロイックプリズム２２に入射された緑色の光束は誘電体多層膜２２Ｂおよび誘電体多層膜２２Ｒを透過し出射面２２０２から出射され投影レンズ２４に至る。説明の便宜上クロスダイクロイックプリズム２２から出射され投影レンズ２４に至る光学系１０の光路を第９光路１０Ｉという。本実施例では第３光路１０Ｃと第９光路１０Ｉは直交し、第５光路１０Ｅと第９光路１０Ｉは同軸上に位置し、第８光路１０Ｈと第９光路１０Ｉは直交している。
投影レンズ２４は、光源用ハウジング１００４とは反対側に位置するハウジング１００２の箇所に収容されている。
投影レンズ２４は、その光軸がスクリーン５０の左右方向の中心を通りスクリーン５０に直交する仮想面上に位置するように設けられている。
したがって、クロスダイクロイックプリズム２２の出射面２２０２からは青色、赤色、緑色の３つの光束が合成された光束が投影レンズ２４に入射され投影レンズ２４および反射ミラー４０によって導かれたテレビジョン画像投影光束が反射ミラー４０を介してスクリーン５０上に結像されることでカラー画像が形成される。
なお、不図示ではあるが複数のファンにより前記光源１２や前記画像形成手段が冷却されるように構成されている。
【００１４】
プロジェクションテレビジョン装置１００の電装部について説明する。
図４に示すように、プロジェクションテレビジョン装置１００は、受信回路１０２、画像信号処理回路１０４、音声信号処理回路１０６、スピーカー１０８、制御回路１１０、操作スイッチ１１２などを備え、上述した液晶パネル２０を含んで構成されている。
受信回路１０２は、制御回路１１０からの指令に基づいて選局を行い、アンテナから受信したテレビジョン信号を復調して画像信号と音声信号に分離して出力する。
画像信号処理回路１０４は、前記画像信号に対して必要な信号処理を行い、赤（Ｒ）、緑（Ｇ）、青（Ｂ）の３色の画像情報を生成し、これら各画像信号を３つの液晶パネル２０にそれぞれ供給する。
音声信号処理回路１０６は、前記音声信号に対して必要な信号処理および増幅処理を行なってオーディオ信号を生成しスピーカー１０８に供給する。これによりスピーカー１０８から音声が発生される。
操作スイッチ１１２は、プロジェクションテレビジョン装置１００による放送の視聴にまつわる種々の操作や設定を行うためのものであり、例えば、選局スイッチ、音量調整スイッチ、入力切り換えスイッチなどを含んでいる。
制御回路１０８は、操作スイッチ１１２の操作に基づいて、受信回路１０２、画像信号処理回路１０４、音声信号処理回路１０６の制御を行う。
また、図示しないが、ＤＶＤプレーヤーやビデオデッキなどの外部装置から供給される画像信号および音声信号を入力するための外部入力端子と、これら外部入力端子に供給された画像信号および音声信号を画像信号処理回路１０４および音声信号処理回路１０６に切り換えて入力する入力切り換え回路が設けられている。
操作スイッチ１１２の操作により前記外部入力端子に供給される画像信号および音声信号が前記入力切り換え回路を介して画像信号処理回路１０４および音声信号処理回路１０６に供給されるようになっている。
【００１５】
プロジェクタユニット１０は、ボトムキャビネット３１（フレーム３０）に調整機構６０を介して支持されている。
図６は調整機構６０部分の正面図、図７は図６のＡＡ線断面図、図８は図６のＢＢ線断面図、図９は調整機構６０部分の平面図である。
調整機構６０は、ボトムキャビネット３１（フレーム３０）とプロジェクタユニット１０との間に設けられ、フレーム３０に対してプロジェクタユニット１０を鉛直軸心Ｏ１を中心として揺動調節可能かつ該プロジェクションテレビジョン装置１００の左右方向に延在する水平軸心Ｏ２を中心として揺動調節可能に支持している。
調整機構６０は、操作することによりフレーム３０に対してプロジェクタユニット１０を鉛直軸心Ｏ１を中心として揺動させかつ水平軸心Ｏ２を中心として揺動させる操作部材６２を有している。
操作部材６２が操作される操作箇所６２Ａは、スクリーン５０の下方のフレーム３０の前面部分（ボトムキャビネット３１の前面部分３１０２）に配置されている。
化粧板３１０４は、スクリーン取り付け部３２の下方のフレーム３０の前面部分３１０２に操作箇所５２Ａを覆うように取着されている。
【００１６】
詳細に説明すると、ボトムキャビネット３１（フレーム３０）は、前記前面部分３１０２を構成する前板３１１０と、前板３１１０の前方上部で左右に延在する断面箱型の横部材３１１４を有している。
プロジェクタユニット１０は前板３１１０の後方に配置されている。
調整機構６０は、調整板６３と雄ねじ部材６４とを含んで構成され、この実施例では雄ねじ部材６４が操作部材６２を構成している。
調整板６３は、前板３１１０の前方で横部材３１１４の下方に配置されている。
調整板６３は、前板３１１０と平行して左右に延在する縦板部６３０２と、縦板部６３０２の上部から水平方向に延在し横部材３１１４の下方に臨む横板部６３０４とを有している。
横板部６３０４から上方にピン６３０６が突設され、このピン６３０６の上部は円錐面で形成されている。
ピン６３０６の上部は横部材６３０４の孔６３０８に結合されている。
そして、鉛直軸心Ｏ１はピン６３０６の軸心上を通り、水平軸心Ｏ２は、ピン６３０６が横部材６３０４の孔６３０８に結合された部分を通り、ピン６３０６は孔６３０８に対して鉛直軸心Ｏ１を中心として揺動可能かつ水平軸心Ｏ２を中心として揺動可能に結合されている。
さらに、縦板部６３０２の上部はねじ６３１０により前板３１１０に固定されている。
そして、縦板部６３０２の上部と前板３１１０とが固定された部分は、鉛直軸心Ｏ１および水平軸心Ｏ２を中心としてピン６３０６が揺動できるように可撓可能に形成されている。本実施例では、前板３１１０に設けられた細長いボス部３１１６にねじ６３１０が螺合され、ボス部３１１６が可撓可能に形成されている。
なお、ピン６３０６の軸心は、スクリーン５０の左右方向の中心を通りスクリーン５０に直交する仮想面上に位置するように設けられている。
また、調整板６３の互いに間隔をおいた複数箇所（本実施例では３箇所）は、前板３１１０の切り欠き３１１２内においてプロジェクタユニット１０にねじ６３１２で結合されている。
【００１７】
雄ねじ部材６４は、縦板部６３０２の下部で鉛直軸心Ｏ１の左右両側に配置されている。
雄ねじ部材６４は、前板３１１０と調整板６３とにわたって設けられ、その頭部６４Ａを回転操作することにより前板３１１０に対して調整板６３を鉛直軸心Ｏ１を中心として揺動させかつ水平軸心Ｏ２を中心として揺動させるように構成されている。
本実施例では、図８に示すように、左右両側に配置された雄ねじ部材６４はそれぞれ第１雄ねじ部材７０と、互いに同軸上に配置される第２雄ねじ部材７２および第３雄ねじ部材７４の３本で構成されている。
第１雄ねじ部材７０と第３雄ねじ部材７４はそれぞれ頭部７０Ａ、７４Ａと雄ねじ部７０Ｂ、７４Ｂとを有している。
第２雄ねじ部材７２は、その軸心に第３雄ねじ部材７４の雄ねじ部７４Ｂが挿通される挿通孔７２０２が形成された環板状の頭部７２Ａと筒状の雄ねじ部７２Ｂとを有している。
第１雄ねじ部材７０の頭部７０Ａは、調整板６３の前方に位置し調整板６３に当接可能に設けられている。
第１雄ねじ部材７０の雄ねじ部７０Ｂは調整板６３の孔６３１０を挿通して前板３１１０のボス部の雌ねじ３１２０に螺合している。
第２雄ねじ部材７２の頭部７２Ａは調整板６３の前方に位置し、第２雄ねじ部材７２の雄ねじ部７２Ｂは調整板６３の雌ねじ６３１２に螺合し該雄ねじ部７２Ｂの先端は前板３１１０に当接可能に設けられている。
第３雄ねじ部材７４の頭部７４Ａは第２雄ねじ部材７２の頭部７２Ａの前方に位置し、第３雄ねじ部材７４の雄ねじ部７４Ｂは第２雄ねじ部材７２の挿通孔７２０２を挿通しその先端が前板３１１０の雌ねじ３１３０に螺合している。
【００１８】
次に、調整機構により画像調整する手順について説明する。
まず、図８に示すように、プロジェクタユニット１０の荷重などによりＡＡ方向に力が作用している場合について考える。
この場合には、調整板６３およびプロジェクタユニット１０が前方に付勢されており、両側の第１雄ねじ部材７０の頭部７０Ａ下面に調整板６３が当接し、調整板６３およびプロジェクタユニット１０の姿勢が決定されている。
この状態で図１０（Ｂ）に示すように、プロジェクタユニット１０からスクリーン５０に投影された画像Ｇが、スクリーン５０に対して傾斜している場合、まず、第３雄ねじ部材７４および第２雄ねじ部材７２を緩め、第２雄ねじ部材７２の雄ねじ部７２Ｂの先端を前板３１１０から離間させる。
次に、スクリーン５０上での画像Ｇを視認しつつ、左右両側の第１雄ねじ部材７０のうちの一方の第１雄ねじ部材７０を締め付けて調整板６３の一側を前板３１１０に近接させるとともに、他方の第１雄ねじ部材７０を緩めて調整板６３の他側を前板３１１０から離間させ、調整板６３およびプロジェクタユニット１０を鉛直軸心Ｏ１を中心に揺動させ、図１０（Ａ）に示すように、スクリーン５０上での画像Ｇの傾斜がなくなるように調整する。
調整後、第２雄ねじ部材７２を締め付ける方向に回転させて雄ねじ部７２Ｂの先端を前板３１１０に当接させ、この状態で第３雄ねじ部材７４をねじ込み、第３雄ねじ部材７４の頭部７４Ａを第２雄ねじ部材７２の頭部７２Ａに締め付け固定する。
これにより画像Ｇの傾斜の調整が終了する。
【００１９】
また、図１０（Ｃ）に示すように、プロジェクタユニット１０からスクリーン５０に投影された画像Ｇが、その上部と下部で幅が異なる場合、まず、第３雄ねじ部材７４および第２雄ねじ部材７２を緩め、第２雄ねじ部材７２の雄ねじ部７２Ｂの先端を前板３１１０から離間させる。
次に、スクリーン５０上での画像Ｇを視認しつつ、左右両側の双方の第１雄ねじ部材７０を締め付け、あるいは、緩め、調整板６３およびプロジェクタユニット１０を水平軸心Ｏ２を中心に揺動させ、図１０（Ａ）に示すように、スクリーン５０上での画像Ｇの上下の幅を均等に調整する。
調整後、第２雄ねじ部材７２を締め付ける方向に回転させて雄ねじ部７２Ｂの先端を前板３１１０に当接させ、この状態で第３雄ねじ部材７４をねじ込み、第３雄ねじ部材７４の頭部７４Ａを第２雄ねじ部材７２の頭部７２Ａに締め付け固定する。
これにより画像Ｇの上下幅の調整が終了する。
【００２０】
次に、図８に示すように、プロジェクタユニット１０の荷重などによりＢＢ方向に力が作用している場合について考える。
この場合には、調整板６３およびプロジェクタユニット１０が後方に付勢されており、両側の第２雄ねじ部材７２の雄ねじ部７２Ｂの先端が前板３１１０に当接し、調整板６３およびプロジェクタユニット１０の姿勢が決定されている。
この状態で図１０（Ｂ）に示すように、プロジェクタユニット１０からスクリーン５０に投影された画像Ｇが、スクリーン５０に対して傾斜している場合、まず、第１雄ねじ部材７０を緩め、第１雄ねじ部材７０の頭部７０Ａ下面を調整板６３から離間させ、また、第３雄ねじ部材７４を緩め、第３雄ねじ部材７４の頭部７４Ａ下面を第２雄ねじ部材７２の頭部７２Ａから離間させる。
次に、スクリーン５０上での画像Ｇを視認しつつ、左右両側の第２雄ねじ部材７２のうちの一方の第２雄ねじ部材７２を締め付けて調整板６３の一側を前板３１１０から離間させるとともに、他方の第２雄ねじ部材７２を緩めて調整板６３の他側を前板３１１０に近接させ、調整板６３およびプロジェクタユニット１０を鉛直軸心Ｏ１を中心に揺動させ、図１０（Ａ）に示すように、スクリーン５０上での画像Ｇの傾斜がなくなるように調整する。
調整後、第３雄ねじ部材７４をねじ込み、第３雄ねじ部材７４の頭部７４Ａを第２雄ねじ部材７２の頭部７２Ａに締め付け固定する。
なお、この場合には、第１雄ねじ部材７０は使用されない。
これにより画像Ｇの傾斜の調整が終了する。
【００２１】
また、図１０（Ｃ）に示すように、プロジェクタユニット１０からスクリーン５０に投影された画像Ｇが、その上部と下部で幅が異なる場合、まず、まず、第１雄ねじ部材７０を緩め、第１雄ねじ部材７０の頭部７０Ａ下面を調整板６３から離間させ、また、第３雄ねじ部材７４を緩め、第３雄ねじ部材７４の頭部７４Ａ下面を第２雄ねじ部材７２の頭部７２Ａから離間させる。
次に、スクリーン５０上での画像Ｇを視認しつつ、左右両側の双方の第２雄ねじ部材７２を締め付け、あるいは、緩め、調整板６３およびプロジェクタユニット１０を水平軸心Ｏ２を中心に揺動させ、図１０（Ａ）に示すように、スクリーン５０上での画像Ｇの上下の幅を均等に調整する。
調整後、第３雄ねじ部材７４をねじ込み、第３雄ねじ部材７４の頭部７４Ａを第２雄ねじ部材７２の頭部７２Ａに締め付け固定する。
なお、この場合にも、第１雄ねじ部材７０は使用されない。
これにより画像Ｇの上下幅の調整が終了する。
【００２２】
本実施例によれば、フレーム３０とプロジェクタユニット１０との間に、フレーム３０に対してプロジェクタユニット１０を鉛直軸心Ｏ１を中心として揺動調節可能かつ該プロジェクションテレビジョン装置１００の左右方向に延在する水平軸心Ｏ２を中心として揺動調節可能に支持する調整機構６０が設けられ、この調整機構６０の操作部材６２が操作される操作箇所６２Ａは、スクリーン５０の下方のフレーム３０の前面部分３１０２に配置されているので、画像調整をスクリーン５０を視認しつつ確実に簡単に行うことが可能となる。
また、調整機構６０によりプロジェクタユニット１０が、鉛直軸心Ｏ１を中心として揺動調節され、また、プロジェクションテレビジョン装置１００の左右方向に延在する水平軸心Ｏ２を中心として揺動調節されるので、画像の傾斜や画像の上下幅の差異が確実に調整される。
したがって、出荷前や設置後に行われる画像調整作業の効率化を図れ、プロジェクションテレビジョン装置１００のコストダウンを図る上で極めて有利となる。
また、本実施例では、調整機構６０を調整板６３および雄ねじ部材６４を用いて構成した場合について説明したが、調整機構６０はカム機構やリンク機構を用いるなど従来公知の様々な手段を用いて構成することが可能である。しかしながら、実施例のように調整板６３および雄ねじ部材６４を用いて調整機構６０を構成すると、調整機構６０の構造の簡易化、コストダウンを図る上で有利となる。
【図面の簡単な説明】
【００２３】
【図１】（Ａ）は実施例１のプロジェクションテレビジョン装置１００の正面図、（Ｂ）は側面図である。
【図２】プロジェクションテレビジョン装置１００の分解斜視図である。
【図３】プロジェクションテレビジョン装置１００の要部の分解斜視図である。
【図４】プロジェクションテレビジョン装置１００の電装部の構成を示すブロック図である。
【図５】プロジェクションテレビジョン装置１００のプロジェクタユニット１０の構成を示す構成図である。
【図６】調整機構６０部分の正面図である。
【図７】図６のＡＡ線断面図である。
【図８】図６のＢＢ線断面図である。
【図９】調整機構６０部分の平面図である。
【図１０】（Ａ）、（Ｂ）、（Ｃ）は調整操作の説明図である。
【符号の説明】
【００２４】
１０……プロジェクタユニット、３０……フレーム、３１０２……前面部分、４０……反射ミラー、５０……スクリーン、６０……調整機構、６２……操作部材、１００……プロジェクションテレビジョン装置、Ｏ１……鉛直軸心、Ｏ２……水平軸心。
【図１】
2006189738.tif 000003
【図２】
2006189738.tif 000004
【図３】
2006189738.tif 000005
【図４】
2006189738.tif 000006
【図５】
2006189738.tif 000007
【図６】
2006189738.tif 000008
【図７】
2006189738.tif 000009
【図８】
2006189738.tif 000010
【図９】
2006189738.tif 000011
【図１０】
2006189738.tif 000012